(57)【特許請求の範囲】
【請求項１】
遊技球が転動落下可能な遊技領域が形成された遊技盤と、遊技球を貯留する球皿と、遊技球を前記遊技領域に打球発射する発射装置と、前記球皿の遊技球を前記発射装置に供給する球供給通路と、前記遊技領域内に設けられて遊技球が入球可能な入賞口を有する入賞装置とを備えた弾球遊技機であって、
前記球供給通路内に回転軸部を中心として回転自在に配設され、遊技球を受容可能な受容部が形成された球送り回転体と、
前記球送り回転体を回転駆動させる回転駆動手段とを有する球送り装置を備え、
前記発射装置は、前記球送り回転体の回転に連動して１球ずつ遊技球を発射するように構成されており、
前記球送り回転体の前記受容部は、前記回転軸部が延びる軸方向の一方側から他方側へ遊技球が通過可能に貫通形成され、
前記回転駆動手段により前記球送り回転体を一方向に回転駆動させることにより、前記球送り回転体が、前記球皿側において前記球送り回転体の前記軸方向一方側から前記受容部に受容させた遊技球を、前記発射装置側において前記球送り回転体の前記軸方向他方側から前記受容部の外部に排出させて、前記球皿側から前記発射装置側へと遊技球を送り、
前記球送り回転体における前記軸方向一方側の部分に、前記軸方向に突出する複数の爪部が形成され、
前記球送り回転体において前記回転軸部と前記爪部とを結ぶ直線に対し前記軸方向に重ならない部分に、前記受容部が貫通形成されることを特徴とする弾球遊技機。
【請求項２】
前記球皿の下方に、遊技球を貯留可能な第２の球皿が備えられており、
前記球皿と前記発射装置とが、前記球供給通路によって繋がれ、
前記球送り装置と前記第２の球皿とが、前記球送り装置から排出された遊技球を前記第２の球皿に導く球排出通路によって繋がれ、
前記受容部に受容された遊技球を前記受容部内に位置させて支持する保持位置と、前記受容部に受容された遊技球を前記球排出通路に排出させる開放位置とに変位可能な支持底部を備えたことを特徴とする請求項１に記載の弾球遊技機。
【発明の詳細な説明】
【技術分野】
【０００１】
本発明は、パチンコ機等の弾球遊技機に関し、更に詳細には、入賞口に入球した遊技球を不正に操作して連続的に遊技球の入賞を検出させる不正行為を防止するように構成した弾球遊技機に関する。
【背景技術】
【０００２】
弾球遊技機の代表例であるパチンコ機には、前面に遊技領域を形成する遊技盤を立設姿勢で収容保持した前枠に対して、前面および背面に遊技球の処理経路を一体に設けるとともに、背面に各種制御基板が取り付けられる裏セット盤を取り付けて構成される。そして、上球皿に貯留された遊技球を球送り装置を用いて１球ずつ発射装置に送り、この発射装置により遊技領域上部に導いた遊技球を落下させる過程で遊技領域内に設けた各種の入賞装置に入賞させる遊技を行うように構成されている。上記球送り装置としては、遊技球を受容可能な凹溝が形成された回転体を備え、この回転体を上下に揺動させることで遊技球を送る構成のものが従来知られている（例えば、特許文献１を参照）。
【０００３】
このようなパチンコ機では、遊技球が一般入賞装置に入球した場合にはそれに対応した個数の賞球が払い出され、始動入賞装置に入球した場合にはこれに基づいて当り外れや演出パターンの抽選が行われるとともに所定個数の賞球が払い出されるようになっている。この抽選に当選して大当たりが発生したときには、遊技者に有利な特別遊技状態に移行して、一般にアタッカーと称される大入賞装置の入賞口が複数回連続的に開放し、入球個数に対応した相当数の賞球が払い出されることとなる。
【先行技術文献】
【特許文献】
【０００４】
【特許文献１】特許第３９９６１０８号公報
【発明の概要】
【発明が解決しようとする課題】
【０００５】
パチンコ機には、各種入賞装置に対応して通過型センサ等からなる入賞球検出器が設けられており、この入賞装置に入球する遊技球が入賞球検出器を通過することによって該入賞装置での遊技球の入賞が検出され、入球個数に応じた賞球の払い出しや当り外れの抽選等が適時実行されるようになっている。ここで、正常な遊技では原則として遊技球１球につき１回のみ入賞球検出器への通過が検出されるものであるが、近年においては、所定長さの釣糸等の糸状体を固着させた遊技球を入賞装置に入球させて、該糸状体を手前に引っ張ったり奥側へ送り込んだりする不正な操作をすることで、この遊技球を入賞球検出器に何度も繰り返し通過させて（遊技球の連続入賞を検出させて）、多数の賞球を払い出させる不正入賞行為（ゴト行為）が頻発しており、その被害が大きな問題になってきている。そのため、遊技機メーカ各社においても、このような不正入賞行為を効果的に抑止する策を講じることが課題となっている。例えば特許文献１に開示された構成では、遊技球に固着された糸状体が何ら規制されることなく球送り装置を通過可能となっており、不正入賞行為を防止することが難しい。
【０００６】
本発明は、このような課題に鑑みてなされたものであり、釣糸等の糸状体を付けた遊技球を不正に操作して遊技球の入賞を検出させる不正入賞行為を効果的に抑止することが可能な弾球遊技機を提供することを目的とする。
【課題を解決するための手段】
【０００７】
このような目的達成のために、本発明に係る弾球遊技機は、遊技球が転動落下可能な遊技領域が形成された遊技盤と、遊技球を貯留する球皿（例えば、実施形態における上球皿６）と、遊技球を前記遊技領域に打球発射する発射装置（例えば、実施形態における遊技球発射装置３０）と、前記球皿の遊技球を前記発射装置に供給する球供給通路（例えば、実施形態における球供給通路６ｄ）と、前記遊技領域内に設けられて遊技球が入球可能な入賞口を有する入賞装置（例えば、実施形態における一般入賞装置２３、始動入賞装置２４、大入賞装置２５）とを備えた弾球遊技機であって、前記球供給通路内に回転軸部（例えば、実施形態における軸部７５）を中心として回転自在に配設され、遊技球を受容可能な受容部（例えば、実施形態における球受容部７１ａ）が形成された球送り回転体と、前記球送り回転体を回転駆動させる回転駆動手段（例えば、実施形態における回転駆動機構８０）とを有する球送り装置（例えば、実施形態における球送り装置６０）を備え、前記発射装置は、前記球送り回転体の回転に連動して１球ずつ遊技球を発射するように構成される。
【０００８】
前記球送り回転体の前記受容部は、前記回転軸部が延びる軸方向の一方側から他方側へ遊技球が通過可能に貫通形成され、前記回転駆動手段により前記球送り回転体を一方向に回転駆動させることにより、前記球送り回転体が、前記球皿側において前記球送り回転体の前記軸方向一方側から前記受容部に受容させた遊技球を、前記発射装置側において前記球送り回転体の前記軸方向他方側から前記受容部の外部に排出させて、前記球皿側から前記発射装置側へと遊技球を送るように構成される。
【０００９】
また、前記球送り回転体における前記軸方向一方側の部分に、前記軸方向に突出する複数の爪部（例えば、実施形態における引掛け爪部２７８）が形成され、前記球送り回転体において前記回転軸部と前記爪部とを結ぶ直線に対し前記軸方向に重ならない部分に、前記受容部が貫通形成される。
【００１０】
上述の弾球遊技機において、前記球皿の下方に、遊技球を貯留可能な第２の球皿（例えば、実施形態における下球皿７）が備えられており、前記球皿と前記発射装置とが、前記球供給通路によって繋がれ、前記球送り装置と前記第２の球皿とが、前記球送り装置から排出された遊技球を前記第２の球皿に導く球排出通路によって繋がれ、前記受容部に受容された遊技球を前記受容部内に位置させて支持する保持位置と、前記受容部に受容された遊技球を前記球排出通路に排出させる開放位置とに変位可能な支持底部（例えば、実施形態における揺動開閉部材６３）を備えることが好ましい。
【発明の効果】
【００１１】
本発明に係る弾球遊技機は、回転駆動手段を用いて球送り回転体を一方向に回転駆動させることにより、受容部に受容させた遊技球を球皿側から発射装置側へと送るように構成されている。そのため、糸状体が固着された遊技球が球皿側から発射装置側へと送られる際には、糸状体を球送り回転体の回転軸部に巻き付けて絡ませることができるので、この遊技球が発射装置によって遊技領域に発射されることを防止できる。よって、糸状体を付けた遊技球を不正に操作して遊技球の入賞を検出させる不正入賞行為を効果的に抑止することが可能となる。
【００１２】
なお、球送り回転体は、軸方向一方側から受容部に受容させた遊技球を、軸方向他方側から受容部の外部に排出させることで、球皿側から発射装置側へと送るようになっていることが好ましい。この構成の場合、糸状体が固着された遊技球が球皿側から発射装置側へと送られる際、糸状体が受容部を貫通した状態で球送り回転体が回転駆動されるので、糸状体を球送り回転体の回転軸部に確実に巻き付けることが可能となる。
【００１３】
また、球送り回転体が、軸方向一方側部分に軸方向に突出する爪部を備えた構成が好ましい。このように構成すると、糸状体が固着された遊技球が球皿側から発射装置側へと送られる際、糸状体を爪部にも絡ませることが可能となり、この遊技球が発射装置によって遊技領域に発射されることを確実に防止できる。
【００１４】
上述の弾球遊技機において、受容部に受容された遊技球を受容部内に位置させて支持する保持位置と、受容部に受容された遊技球を球排出通路に排出させる開放位置とに変位可能な支持底部を備えたことが好ましい。この構成の場合には、支持底部を変位させるという簡易な構成でありながら、上球皿と遊技球発射装置との間に位置する待機遊技球を確実に下球皿に排出可能となり、遊技を終了させたい遊技者が球抜き操作により待機遊技球を確実に取り出すことが可能となる。
【図面の簡単な説明】
【００１５】
【図１】本発明に係るパチンコ機の正面図である。
【図２】上記パチンコ機の背面図である。
【図３】上記パチンコ機の平面図である。
【図４】上記パチンコ機の正面図であって、上球皿を開いた状態を示す。
【図５】上記パチンコ機における上球皿の正面図である。
【図６】上記パチンコ機における上球皿の背面図である。
【図７】上記パチンコ機における主制御装置および球払出制御装置の制御形態を主として示すブロック図である。
【図８】上記パチンコ機の回路構成を示すブロック図である。
【図９】遊技球発射装置および球送り装置の駆動に関するタイミングチャートである。
【図１０】主制御装置における入賞処理の過程を示すフローチャートである。
【図１１】主制御装置における払出コマンド受信処理の過程を示すフローチャートである。
【図１２】球払出制御装置における概要処理の過程を示すフローチャートである。
【図１３】主制御装置における払出処理の過程を示すフローチャートである。
【図１４】本発明に係る球送り装置の平面図（一部省略）である。
【図１５】図１４中のＸＩＶ−ＸＩＶ部分の断面図である。
【図１６】（ａ）は回転駆動機構の平面図を、（ｂ）は位置決め機構の平面図を、（ｃ）は逆転防止機構の平面図をそれぞれ示す。
【図１７】（ａ）〜（ｄ）は回転駆動機構の駆動変移図を示す。
【図１８】開閉部材の開閉状態を示す平面図であって、（ａ）は閉じた状態を、（ｂ）は開いた状態をそれぞれ示す。
【図１９】球送り回転体を示す図であって、（ａ）は平面図を、（ｂ）は糸状体が巻き付いていない状態の断面図を、（ｃ）は糸状体が巻き付いた状態の断面図をそれぞれ示す。
【図２０】球排出通路の断面図であって、（ａ）は揺動開閉扉が閉じた状態を、（ｂ）はＸＸ（ｂ）−ＸＸ（ｂ）部分の断面図を、（ｃ）は揺動開閉扉が開いた状態を、（ｄ）は揺動開閉扉に糸状体が引掛かった状態をそれぞれ示す。
【図２１】変形例としての球送り回転体を示す図であって、（ａ）は平面図を、（ｂ）は断面図をそれぞれ示す。
【図２２】変形例としての球送り回転体（糸状体が引掛かった状態）を示す図であって、（ａ）は平面図を、（ｂ）は断面図をそれぞれ示す。
【発明を実施するための形態】
【００１６】
以下、本発明の好ましい実施形態について図面を参照しながら説明する。以下においては、本発明に係る弾球遊技機の代表例としてのパチンコ機に適用した例について説明する。まず、図１〜図７を参照しながら、本発明に係るパチンコ機（パチンコ機ＰＭ）の全体構成について概要説明する。
【００１７】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１８】
前枠２の前面側上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１９】
遊技盤２０は、所定板厚の積層合板の表面にセルを貼り付けてルータ加工した化粧板２１を基板とし、この化粧板２１の前面に外レール２２ａと内レール２２ｂと囲まれて遊技球が転動可能な円弧状の遊技領域ＰＡが区画形成される。遊技領域ＰＡには、多数本の遊技釘とともに風車や各種の入賞装置２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。
【００２０】
図２に示すように、化粧板２１の裏面側には中央部に図柄表示装置２７の作動を制御する図柄表示制御装置５６が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」と称する）を、化粧板２１の背面に沿って裏セット盤４０の遊技済み球排出通路に導く球寄せカバー２９が取り付けられている。
【００２１】
図４に示すように、前枠２の表側中間部には、遊技補助盤９と称される補助機構部が設けられるとともに、この遊技補助盤９の前方に上球皿６が前方に横開き開閉および着脱可能に取り付けられ、正面右側に設けられた球皿施錠装置を利用して常には遊技補助盤９の前面を覆う閉止状態に保持される。上球皿６の下側には、下球皿７が前方に突出して取り付けられ、その右側に遊技球の発射操作を行う発射ハンドル８が取り付けられている。
【００２２】
上球皿６は、図３および図５に示すように、正面視略矩形に形成された外装体６ａと、この外装体６ａに取り付けられた皿体６ｂとを主体に構成される。皿体６ｂの正面左上方部には遊技球Ｂを貯留する球貯留部６ｃが設けられるとともに、この球貯留部６ｃから遊技球発射装置３０に近接された球送り装置６０へと全体として斜めに（パチンコ機ＰＭの正面から見て左上から右下方向に）延びるように球供給通路６ｄが形成されている。また、上球皿６の後面側中央下部には、後方に向けて開口された球抜き穴６ｕが形成されるとともに、球送り装置６０から球抜き穴６ｕへと全体として斜めに（パチンコ機ＰＭの正面から見て右上から左下方向に）延びるように球排出通路６ｅが形成されている。さらに、図５および図６に示すように、上球皿６には、上球皿６を閉止状態にしたときに後述する遊技球発射装置３０の近傍に位置するように本発明に係る球送り装置６０が取り付けられている。なお、球送り装置６０の構成については後述する。
【００２３】
前枠２の裏面下部の遊技補助盤９には、発射ハンドル８の操作量（回動操作量）に応じた打ち出し強度で遊技球を遊技領域ＰＡへ打ち出し可能に構成された遊技球発射装置３０が取り付けられている。この遊技球発射装置３０の近傍に位置して、板状のレールベース３８と、このレールベース３８に保持されて斜めに延び、遊技発射装置３０のハンマー３１に叩打された遊技球をガイドして外レール２２ａに向けて発射させる発射レール３９とが設けられている。発射レール３９は、前枠２の下部スペース（遊技補助盤９）にパチンコ機ＰＭの正面から見て右下方から左上方に向かって延びるように設けられており、その延長線上には外レール２２ａが配置されている。また、遊技補助盤９の中央下部には、下球皿７に形成された球貯留部（図示せず）に繋がる球排出口３６が前方に向けて開口形成されている。上球皿６の球抜き穴６ｕは、上球皿６を閉止状態にしたときに球排出口３６と前後に近接対向する位置に形成されている。
【００２４】
一方、前枠２の後面側には、図２に示すように、裏セット盤４０が前枠２の後方に横開き開閉および着脱可能に取り付けられ、常には遊技盤２０の裏面を覆う閉止状態に保持されている。裏セット盤４０は、中央部に遊技盤２０の図柄表示制御装置５６を受容する窓口４１ａを有して外枠１の内寸サイズよりも幾分小さめの方形枠状に形成された基枠体４１をベースとして構成される。裏セット盤４０の裏面側には、基枠体４１の左上部に取り付けられ遊技球を貯留する球貯留タンク４２、球貯留タンク４２の下方に位置して設けられ遊技球の払い出しを行う球払出装置４４、球貯留タンク４２と球払出装置４４との間を結んで設けられ球貯留タンク４２に貯留された遊技球を整列させて球払出装置４４へ導く案内通路４３、球払出装置４４の下方に設けられて球払出装置４４から払い出された遊技球を上下の球皿６，７へ導く球払出通路４５等が設けられている。
【００２５】
また、裏セット盤４０の裏面各部には、パチンコ機ＰＭの作動を統括的に制御する主制御装置５１や、遊技球の払い出し作動を制御する球払出制御装置５２、効果照明や効果音の作動制御を行うランプ・音声制御装置５３、各制御装置や電子部品に電力を供給する電源ユニット５４、遊技施設側と信号や電力の入出力を行うターミナル基板５５、図柄表示装置２７の作動を制御する図柄表示制御装置５６、遊技球発射装置３０の作動を制御する発射装置制御基板５７等の各種制御装置や制御基板、電子部品などが取り付けられ、これらが図示しないコネクタケーブルで接続されてパチンコ機ＰＭが作動可能に構成される（図２および図３参照）。
【００２６】
さて、このように概要構成されるパチンコ機ＰＭにあって、遊技領域ＰＡに発射された遊技球が各入賞装置に落入したときの遊技球の払い出し処理について、関連する各部の構成をもう少し詳しく説明する。遊技盤２０に設けられる入賞装置には、その外観意匠や入賞時の動作を含めて種々の形態のものがあり、ゲージ設定に応じてどのような形態の入賞装置を用いるものであってもよいが、本実施形態では一般入賞装置２３、始動入賞装置２４、大入賞装置２５の３種類の入賞装置を設けた例を示している（図１参照）。
【００２７】
一般入賞装置２３は、遊技球が落入可能な入賞口２３ａを有する固定入賞具であり、この一般入賞装置２３の後部には入賞口２３ａに落入したセーフ球を化粧板２１の裏面側へ導くセーフ球通路が設けられている。入賞口２３ａに落入したセーフ球はセーフ球通路を通って化粧板２１の裏面側に排出され、該裏面側に設けられた入賞球検出器２３ｓを通過することによって入賞が検出されるようになっている。入賞球検出器２３ｓは、遊技球の通過を検出可能な通過型センサである限り特に限定されず、例えば、磁気センサや光センサ、近接スイッチ等の非接触動作型でも、マイクロスイッチのような接触動作型でもよい（以下に示す入賞球検出器２４ｓ，２５ｓ，２５ｔにおいても同様とする）。
【００２８】
始動入賞装置２４は、いわゆる電動チューリップ型の可動入賞具であり、左右のチューリップ羽根を開閉させて入賞口２４ａを拡大・縮小変化させることができる。始動入賞装置２４の後部には入賞口２４ａに落入したセーフ球を化粧板２１の裏面側へ導くセーフ球通路が設けられている。入賞口２４ａに落入したセーフ球はセーフ球通路を通って化粧板２１の裏面側に排出され、該裏面側に設けられた入賞球検出器２４ｓを通過することによって入賞が検出されるようになっている。
【００２９】
大入賞装置２５は、いわゆるアタッカー型の可動入賞装置であり、横長方形状の大入賞口２５ａを覆う開閉扉が開閉可能に取り付けられている。開閉扉は通常閉止されており、遊技中における所定の入賞条件の下で特別遊技状態が成立したときに、開閉扉の上部が前方に倒されて大入賞口２５ａが開放される。大入賞口２５ａの内部には左右２つの領域開口が設けられており、大入賞装置２５の後部には上記二つの領域開口に繋がって化粧板２１を貫通する二つのセーフ球通路が設けられている。大入賞口２５ａに落入したセーフ球はいずれかの領域開口からセーフ球通路を通って化粧板２１の裏面側に排出され、該裏面側に領域開口に対応して設けられた入賞球検出器２５ｓ，２５ｔを通過することによって入賞が検出されるようになっている。なお、入賞球検出器２３ｓ，２４ｓ，２５ｓ，２５ｔにより検出された遊技球は、球寄せカバー２９、遊技済み球排出通路を流下して遊技島の回収装置に排出される。
【００３０】
以上のように構成されるパチンコ機ＰＭは、ガラス扉５および上球皿６がともに閉止施錠された状態で遊技に供され、上球皿６に遊技球を貯留させて操作ハンドル８を回動操作することにより遊技が開始される。操作ハンドル８が回動操作されると、上球皿６に貯留された遊技球がこの上球皿６に装着された球送り装置６０によって１球ずつ発射レール３９の下端部に送り出され、遊技球発射装置３０のハンマー３１によって１球ずつ遊技盤２０の遊技領域ＰＡに打ち出され、遊技球が遊技領域ＰＡを転がり落ちることにより、以降パチンコゲームが展開される。
【００３１】
さて、ここで、遊技球発射装置３０および球送り装置６０の制御について、図８および図９を参照して説明する。
【００３２】
遊技球発射装置３０は、遊技球の発射球数を適正な個数として１分間に１００発程度を発射する機能に設定され、モータの１回転、或いはソレノイドの１往復により１球の発射がなされるようになっており、モータの基準位置、或いはソレノイドの非通電位置が発射待機時の駆動装置の位置に設定される。一方、球送り装置６０は、打球の発射終了後、次の遊技球発射装置３０の発射動作の開始（モータの回転開始、或いはソレノイドの駆動開始）と同時、或いはこれに先立って次発の遊技球を発射待機位置に送り出すようになっている。ここで、遊技球発射装置３０の打球能力を均一化するために、遊技球発射装置３０には打球直前までに適正位置に停止した状態で遊技球を供給することが望ましい。したがって、遊技球発射装置３０に遊技球を供給する球送り装置６０には、打球終了後、なるべく早く、しかも一定のタイミングで適正位置（発射待機位置）に遊技球を供給する構成が求められている。
【００３３】
そこで、本実施形態のパチンコ機ＰＭは、上記目的を達成するために、図８に示すように、基準クロック（Ｔ１）発生回路３２、基準クロック分周回路３３ａ、発射許可判定回路３３ｂ、球送ソレノイド駆動トリガ発生回路３４ａ、発射モータ駆動トリガ発生回路３４ｂ、発射強度判定回路３４ｃ、球送ソレノイド電源供給回路３５ａおよび発射モータ電源供給回路３５ｂを備える。
【００３４】
基準クロック発生回路３２は、遊技球発射装置３０の駆動タイミングを決定する基準となるクロック発生回路であり、水晶発振器等により構成される。基準クロック分周回路３３ａは、基準クロック発生回路により発生した基準クロックを分周する。そして、第一の出力パルスとして、666ms周期毎に発射モータを駆動開始できるような発射基準信号を発生するとともに、この発射基準信号から所定時間遅延した（本実施例では丁度反転した）タイミングで第２の出力パルスとして、同じく666ms周期毎に球送りソレノイドを駆動開始できるような球送り基準信号を発生させる回路である。具体的には、カウンタＩＣとフリップフロップ回路ＩＣとから構成される。
【００３５】
発射許可判定回路３３ｂは、球払出制御装置５２を介して入力される発射許可信号や発射ハンドル８の操作状態（発射ハンドル８を把持しているか等）に基づいて発射許可を行うか否かを判定する回路である。具体的には、各種入力信号を論理系のＩＣ（ＯＲ回路やＸＯＲ回路、ＮＡＮＤ回路等）により演算して発射許可信号が出力されるように構成される。発射モータ駆動トリガ発生回路３４ｂは、発射許可信号が発射許可を示すものであることを条件に、前述した球送り基準信号を発射モータ電源供給回路３５ｂに出力するものである。より具体的には、定期的に入力される発射基準信号の出力タイミングで、発射許可がなされていた場合に発射モータ駆動トリガ発生回路３４ｂは、発射モータの駆動基準信号を発射モータ電源供給回路３５ｂに出力する。換言すると、発射許可判定回路３３ｂの判定状況は発射基準信号のタイミング毎にしか反映されない構成になっており、許可信号が外部ノイズにより変化した場合でも、基準信号と同期しない限り問題にならないという副次的効果が得られるようになっている。
【００３６】
発射強度判定回路３４ｃは、発射ハンドル８の操作量に基づいて発射強度を判定するものである。具体的には、発射ハンドル８内に設けられた可変抵抗器により可変する電流値と基準電流値との相関関係に基づいて発射モータ（ソレノイド）の通電量を決定する。球送ソレノイド電源供給回路３５ａは、球送ソレノイド駆動トリガ発生回路３４ａからの信号に基づいて球送ソレノイドに所定時間電源を供給する。発射モータ電源供給回路３５ｂは、発射モータ駆動トリガ発生回路３４ｂ、発射強度判定回路３４ｃからの信号に基づいて発射モータに所定時間電源を供給する。球送ソレノイド駆動トリガ発生回路３４ａは、球送基準信号に基づいて球送ソレノイドの駆動トリガを発生させる。なお、分周回路から出力される球送基準信号をそのまま利用することも可能である。
【００３７】
具体的には、パチンコ機ＰＭにおいては、図９に示すように、基準クロック発生回路３２により発生したクロックのｎ分周した分周信号の立ち上がりを発射許可発生回路３３ａに供給することで、発射モータ（発射ソレノイド）の駆動開始トリガとし、発射ハンドル8８の操作に応じて発射強度判定回路３４ｃに適宜タイミング分遅延した第二のクロックを生成し、基準クロックの立ち上がりに同期して遊技球発射装置３０を駆動させるとともに、第二のクロックの立ち下がりに同期して球送り装置６０を駆動させている。これにより、発射終了後、定期的に球送り装置６０を駆動することができ、安定的な発射タイミングを生成することができる。なお、１分間に１００発程度を発射する機能に設定している理由としては、設定値が大きいと遊技盤上の球数が多くなり遊技盤の途中で球づまりが発生する（いわゆるブドウ状態）可能性が高くなり、反対に設定値を小さくすると遊技機の売り上げが減少することが挙げられる。
【００３８】
図７には、主制御装置５１および球払出制御装置５２の制御形態を主として示すブロック図を示しており、この図７を参照しながらパチンコ機ＰＭの制御構成について説明する。
この図７に示すように、入賞球検出器２３ｓ，２４ｓ，２５ｓ，２５ｔの検出信号は主制御装置５１に出力されており、主制御装置５１は入力された検出信号に基づいてパチンコ機ＰＭの作動を統括的に制御する。例えば、遊技領域ＰＡを転がり落ちる遊技球が一般入賞装置２３に落入すると、入球した遊技球が入賞球検出器２３ｓを通過する際に入賞が検出され、その検出信号が主制御装置５１に入力される。主制御装置５１は、この検出信号から、遊技球が入賞装置に落入したこと、および入賞した入賞装置が一般入賞装置２３であることを検知し、球払出制御装置５２に対して入賞条件に応じた球払出指令コマンドを出力して球払出装置４４を作動させ、一般入賞装置２３に入賞した場合の賞球として予め設定された所定個数の遊技球を上球皿６に払い出させる。
【００３９】
また、始動入賞装置２４に遊技球が落入して入賞球検出器２４ｓから検出信号が出力されると、主制御装置５１はこの検出信号から、遊技球が落入したこと、および入賞した入賞装置が始動入賞装置２４であることを検知し、この入賞条件に応じた遊技プログラムを呼び出して実行する。具体的には、主制御装置５１内で図柄の組み合わせ抽選を行うとともに、図柄表示制御装置５６に抽選結果を出力して図柄表示装置２７に表示させる図柄を変動および停止制御させ、停止図柄の組み合わせに応じた作動、例えばランプ・音声制御装置５３を介してサイドランプの点滅表示やスピーカによる効果音の発生等を行わせる。また、主制御装置５１は、球払出制御装置５２に対して入賞条件に応じた球払出指令コマンドを出力して球払出装置４４を作動させ、始動入賞装置２４に入賞した場合の賞球として予め設定された所定個数の遊技球を上球皿６に払い出させる。
【００４０】
主制御装置５１による抽選結果が大当たりである場合（変動停止時の図柄が大当たりの図柄で停止する場合）、図柄表示装置２７には、例えば、スロットマシンの図柄表示を模した装飾図柄を一致させるような表示態様を有して表示され、特別遊技が実行される。特別遊技においては、大入賞装置２５の作動により大入賞口２５ａが開放される。そして、例えば、大入賞口２５ａが約３０秒間開放された後、または９球以上の遊技球が大入賞装置２５に入賞した後、大入賞口２５ａが一旦閉鎖され、このような開閉動作が所定回数（例えば１５回）継続して繰り返される。大入賞装置２５に遊技球が落入する度に、予め設定された所定個数の遊技球が賞球として球払出装置４４より払い出される。なお、入賞に応じて払出される賞球数は、始動入賞装置２４よりも一般入賞装置２３の方が多く、さらに一般入賞装置２３よりも大入賞装置２５の方が多く設定されている。
【００４１】
ここで、賞球払い出し動作について、図１０〜図１３を参照しながらより具体的に説明する。図１０には、主制御装置５１における入賞処理４００のフローチャートを、図１１には、主制御装置５１における払出コマンド受信処理５００のフローチャートを、図１２には、球払出制御装置５２における概要処理６００のフローチャートを、図１３には、主制御装置５１における払出処理７００のフローチャートをそれぞれ示す。
【００４２】
主制御装置５１は、図１０に示すように、ステップＳ４１０で入賞の有無を判定するとともに、ステップＳ４２０およびステップＳ４３０で判定された入賞口に応じて、入賞個数毎に設けられた入賞個数バッファに記憶されている入賞個数データに１加算する（ステップＳ４２１、ステップＳ４３１およびステップＳ４３２）。
【００４３】
また、主制御装置５１は、図１１に示すように、ステップＳ５１０で、いずれかの入賞個数バッファに入賞記憶が存在した場合（入賞個数データが１以上の入賞個数バッファが存在していた場合）に受信される払出コマンドの有無を判定する。続いて、ステップＳ５２０で、球払出制御装置５２からの払出関連の異常の有無を示す通信がある（エラーコマンドを受信している）場合には、ステップＳ５２１において球払出制御装置異常設定がなされる。また、ステップＳ５３０で、払出関連のエラー復帰コマンドを受信している場合には、ステップＳ５３１において、球払出制御装置正常設定がなされる。続いて、ステップＳ５４０で、払出要求コマンドを正常に受信していると判定された場合には、ステップＳ５４１において、対応する賞球バッファを１減算する処理が行われる。次に、ステップＳ５５０で、払出完了コマンドを受信していると判定された場合には、ステップＳ５５１において賞球払出中フラグがオフとされ、払出完了コマンドを受信していないと判定された場合には、ステップＳ５５２においてその他のコマンドに応じた処理が行われる。
【００４４】
球払出制御装置５２は、図１２に示すように、ステップＳ６１０でコマンド受信の有無を判定し、ステップＳ６２０で受信したコマンドが正常でないと判定すると、ステップＳ６２１でコマンド異常情報を主制御装置５１に送信する。続いて、ステップＳ６３０で、正常なコマンドが賞球コマンドであると判定されると、ステップＳ６３１で正常受信コマンドを主制御装置５１に送信し、賞球コマンド以外であると判定されると、ステップＳ６３２においてコマンドに応じた処理が行われ、正常受信コマンドを主制御装置５１に送信する。そして、ステップＳ６４０で賞球コマンドに応じた賞球の払出動作を実行する。球払出制御装置５２を正常に駆動させて払出処理が行われ、ステップＳ６５０で適切な賞球払出処理が終了したと判定されると、ステップＳ６６０で払出完了コマンドを主制御装置５１に送信する。
【００４５】
主制御装置５１は、図１３に示すように、ステップ７１０で賞球払出し中フラグがオンでないと判定され、ステップＳ７２０で球払出制御装置５２が正常と判定され、ステップＳ７３０で１０個賞球バッファがあると判定されると、ステップＳ７３１で１０個賞球コマンドを送信するとともに１０個賞球バッファを減算する。また、ステップＳ７４０で１５個賞球バッファがあると判定されると、ステップＳ７４１で１５個賞球コマンドを送信するとともに１５個賞球バッファを減算する。さらに、ステップＳ７５０で３個賞球バッファがあると判定されると、ステップＳ７５１で３個賞球コマンドを送信するとともに３個賞球バッファを減算する。そして、ステップＳ７６０で、賞球払出し中フラグがオンとされる。
【００４６】
なお、複数の入賞個数バッファに入賞記憶が存在した場合には、最も賞球の少ない入賞個数バッファの払出処理を優先することが望ましい。これは、球皿に残存する遊技球が少ないときに、多くの個数を払い出したほうが、遊技が停滞しにくいためである。  また、入賞個数データの減算タイミングを払出終了コマンドの受信のタイミングで行っているが、これは、球払出制御装置５２にバックアップ電源を接続していない前提で、不慮の電断が生じ払出途中で払出処理が中断した場合でも、遊技者に不利益を与えないための処理である。従って、球払出制御装置５２側にバックアップ機能を有している場合等や、レアケースとして処理する場合（遊技者の不利益を考慮しない、換言すればホール側の不利益を防止することを優先する場合）には、図１３の破線に示すように賞球コマンドの送信タイミング或いは、正常受信コマンドの受信タイミングで減算処理しても良い。
【００４７】
以上ここまで、パチンコ機ＰＭの全体構成および制御構成について概要説明した。このように概要構成されるパチンコ機ＰＭにおいて、正常な遊技では原則として遊技球１球につき１回のみ入賞球検出器への通過が検出されるものであるが、近年においては、入賞装置に落入した１個の遊技球を不正な操作によって入賞球検出器に連続して検出させて、多数の賞球を払い出させる不正入賞行為（ゴト行為）が発生している。
【００４８】
この不正入賞行為の代表的な手口を概要説明すると、まず、所定長さを有する釣糸等の糸状体の一端側を接着剤等を用いて遊技球に固着させ、この糸状体の他端側を不正行為者自身が掌で掴み、このような細工を施した遊技球（以下において「糸付球」と称する）を上球皿６に貯留された他の遊技球の間に忍ばせて、他の遊技球とともに上球皿６から１球ずつ順番に遊技球発射装置３０へ供給させて遊技球発射装置３０により発射レール３９から外・内レール２２を通して遊技領域ＰＡ内へ送り込む。糸付球が遊技領域ＰＡまで達すると、ガラス扉５の外側から強力な磁石を用いてこの遊技球を入賞装置（１回の賞球数が最も多い一般入賞装置２３が狙われ易い傾向にある）まで誘導して当該入賞装置の入賞口へ落入させる。遊技球が入賞口からセーフ球通路に導かれて入賞球検出器を通過すると、主制御装置５１により遊技球の入賞が検出されて球払出装置４４により入賞条件に応じた個数の賞球が上球皿６へ払い出されることになる。不正行為者は、このように賞球が払い出されたことをもって、糸付球がターゲットである入賞球検出器へ到達したことを認識し、自身の掌に掴んでいる糸状体の他端側を手前に引っ張ったり奥側へ送り込んだりする操作をして、糸付球を入賞球検出器に何度も繰り返し通過させることで、遊技球の連続入賞を不正に検出させて多数の賞球を獲得している。これが、最近になって発生している糸付球を用いた不正入賞行為の全貌である。
【００４９】
そこで、パチンコ機ＰＭは、このような不正入賞行為を効果的に防止できる球送り装置６０を搭載することで、不正入賞行為を遂行できないように構成されている。それでは、球送り装置６０の構成について、図１４〜図１８を参照しながら以下に説明する。
【００５０】
球送り装置６０は、図１４および図１５に示すように、内部に中空部６１ａが形成された収容筐体６１、この収容筐体６１内に回転自在に支持された球送り回転体７０、この球送り回転体７０の上部に設けられた回転駆動機構８０、位置決め機構８５および逆転防止機構９０から構成される。なお、図１４には、回転駆動機構８０、位置決め機構８５および逆転防止機構９０を省略した球送り装置６０の平面図を示している。
【００５１】
球送り回転体７０は、上下に貫通形成された４つの球受容部７１ａを有する円盤状の回転送り部７１と、この回転送り部７１の中心部に上下に延びて形成された軸部７５とから構成される。なお、本実施形態では、０度、９０度、１８０度および２７０度の各角度位置に球受容部７１ａが形成された球送り回転体７０を例示している。
【００５２】
収容筐体６１は、略円筒状に形成されており、前側上部に遊技球が流入可能な流入開口（図示せず）が形成されており、この流入開口に球供給通路６ｄの端部が接続されている。この収容筐体６１の中空部６１ａには、上記流入開口を囲むように案内壁６２が下方に向けて立設されており、球供給通路６ｄからの遊技球が確実に球受容部７１ａに受容されるようになっている。また、収容筐体６１の中空部６１ａに、軸部７５を回転中心として球送り回転体７０が回転自在に支持されている。なお、軸部７５の上部は収容筐体６１から上方に突出しており、この突出した部分に回転駆動機構８０、位置決め機構８５および逆転防止機構９０が設けられている。
【００５３】
収容筐体６１の底部には、支点６３ａを中心として水平面内で回転可能に開閉部材６３が取り付けられている。この開閉部材６３の上面には、上方に向けてピン部６３ｂが立設されている。また、収容筐体６１の底部には、ピン部６３ｂと係合可能なスライド長穴６４ｂが形成され、左右に（矢印６４ａの方向に）スライド移動自在なストッパー板６４が開閉部材６３の近傍に位置して設けられており、このストッパー板６４が開閉部材６３の下側に位置している。この開閉部材６３の下方には、球排出通路６ｅが形成されている。
【００５４】
収容筐体６１の底部のうちで発射レール３９に隣接する部分には、下方に向けて開口するとともに遊技球を発射レール３９に導くように滑らかに傾斜した排出案内通路６５が形成されている。なお、図１４に示すように、４つの球受容部７１ａのうちのいずれかが排出案内通路６５上に位置する球送り回転体７０の回転位置を、以降の説明では基準回転位置と称する。
【００５５】
回転駆動機構８０は、図１６（ａ）に示すように、電磁駆動されるソレノイド８１と、このソレノイド８１と接続された平歯車である第１ギヤ８２と、この第１ギヤ８２と噛合されるとともに軸部７５に取り付けられた平歯車である第２ギヤ８３とから構成される。ソレノイド８１は、ガイドケース８１ａ内に挿入されたソレノイド本体８１ｂと連結駆動部８１ｄとがプランジャー８１ｃにより連結され、連結駆動部８１ｄと第１ギヤ８２とがリンク部材８１ｆにより接続されている。リンク部材８１ｆは、枢結部８１ｅで連結駆動部８１ｄと回転自在に接続され、枢結部８２ａで第１ギヤ８２と回転自在に接続されている。
【００５６】
そのため、図１７（ａ）の状態において、連結駆動部８１ｄを第１ギヤ８２側にスライド移動させることにより、第１ギヤ８２を時計回りに回転駆動させて、この第１ギヤ８２と噛合する第２ギヤ８３（球送り回転体７０）を反時計回りに回転駆動させることができる（図１７（ｂ）参照）。この図１７（ｂ）の状態で、連結駆動部８１ｄを第１ギヤ８２から離れる方向にスライド移動させることにより、第１ギヤ８２を時計回りに回転駆動させて、球送り回転体７０を反時計回りに回転駆動させることができる（図１７（ｃ）参照）。図１７（ｃ）の状態において、さらに連結駆動部８１ｄを第１ギヤ８２から離れる方向にさらにスライド移動させることにより、第１ギヤ８２を時計回りに回転駆動させて、球送り回転体７０を反時計回りに回転駆動させることができる（図１７（ｄ）参照）。ここで、第２ギヤ８３には第１ギヤ８２の４倍の歯が形成されており、そのため連結駆動部８１ｄを前後に１往復させて第１ギヤ８２を１回転させることで、第２ギヤ８３を９０度だけ反時計回りに回転駆動させることができる。
【００５７】
上述した図１７（ａ）〜（ｄ）に示す作動は、ソレノイド８１の１回の駆動（オン・オフの切り換え）により行われるようになっている。すなわち、図１７（ａ）に示すオフ（非通電）状態においてソレノイド８１がオン（通電）されることにより、図１７（ａ）に示す状態から図１７（ｂ）に示す状態へと変移する。図１７（ｂ）に示す状態においては、図示しない戻しバネの付勢力により連結駆動部８１ｄがソレノイド本体８１ｂ側に戻されて図１７（ｃ）に示す状態に変移し、さらに、図１７（ｄ）から図１７（ａ）示す状態に変移する。そして、図１７（ａ）示す状態で再びソレノイド８１がオン（通電）されることで、連結駆動部８１ｄを第１ギヤ８２側にスライド移動させて、第２ギヤ８３を反時計回りに回転駆動させるようになっている。
【００５８】
上述したように、球送り装置６０には、遊技球発射装置３０における打球終了後、なるべく早く、しかも一定のタイミングで適正位置（発射待機位置）に遊技球を供給することが要求されるが、回転駆動機構８０として駆動応答性の高いソレノイド８１を用いることにより、高速での球送りにも対応可能な構成となっており、上記要求を満足させることができる。
【００５９】
位置決め機構８５は、図１６（ｂ）に示すように、４つの位置決め凹部８６ａが形成されて軸部７５に取り付けられた平板状の位置出し基部８６と、位置決め凹部８６ａに当接される揺動片８７と、この揺動片８７を固定保持する揺動片保持部８８とから構成される。揺動片８７は、例えば弾性変形可能な金属板を用いて形成されており、位置決め凹部８６ａの曲面形状に合わせて形成されて位置決め凹部８６ａに密着して当接する当接部８７ａと、この当接部８７ａから前方に延びる第１揺動部８７ｂと、この第１揺動部８７ｂに対して折曲して前方に延びる第２揺動部８７ｃと、第２揺動部８７ｃから前方に延びて揺動片保持部８８に固定された基端部８７ｄとから構成される。
【００６０】
図１６（ｂ）に示すように、位置決め凹部８６ａに当接部８７ａが当接されることで、球送り回転体７０が基準回転位置に正確に位置するとともに、この基準回転位置に保持されるようになっている。この状態で、回転駆動機構８０により球送り回転体７０が回転駆動されると、位置出し基部８６ａが揺動片８７を押圧して、揺動片保持部８８に対して当接部８７ａ、第１揺動部８７ｂ、第２揺動部８７ｃが揺動することで、隣合う位置決め凹部８６ａと当接部８７ａとが当接して、球送り回転体７０は９０度回転した基準回転位置に正確に保持される。このように、位置決め機構８５を設けることで、球送り回転体７０を基準回転位置に確実に送って位置決めができるとともに、この基準回転位置から回転して位置がずれないように保持することができる。
【００６１】
逆転防止機構９０は、図１６（ｃ）に示すように、４つの係止切り欠き９２ａが形成されて軸部７５に取り付けられた平板状のラッチ本体部９２と、この係止切り欠き９２ａと係合可能な係止爪部９１ａが形成された係止部材９１とから構成される。係止切り欠き９２ａは、ラッチ本体部９２の０度、９０度、１８０度および２７０度の各角度位置に形成されている。係止部材９１は、ラッチ本体部９２の回転平面内において揺動可能に配設されおり、図示しない付勢部材により係止爪部９１ａをラッチ本体部９２に当接させる方向に常時付勢されている。また、球送り回転体７０が基準回転位置に位置する毎に係止切り欠き９２ａと係止爪部９１ａとが係合するように設定されているため、球送り回転体７０の逆回転（時計回りへの回転）が確実に規制される。
【００６２】
図１８（ａ）に示すように、ストッパー板６４が球供給通路６ｄ側にスライド移動した状態では、球供給通路６ｄの近傍に位置する球受容部７１ａに受容された遊技球Ｂ２が、開閉部材６３によって支持されて球受容部７１ａ内に保持される。一方、図１８（ｂ）に示すように、ストッパー板６４が球供給通路６ｄから離れる方向にスライド移動されると、スライド長穴６４ｂ内をピン部６３ｂがスライド移動しながら、開閉部材６３が支点６３ａを中心に反時計回りに回転される。そうすることで、球供給通路６ｄの近傍に位置する球受容部７１ａに受容された遊技球Ｂ２、球供給通路６ｄ内の遊技球および皿体６ｂ内の遊技球が、球受容部７１ａから球排出通路６ｅへと落下して排出されるようになっている。なお、このストッパー板６４をスライド移動させるための球排出ボタン（図示せず）が上球皿６に設けられている。
【００６３】
以上ここまでは、球送り装置６０の構成について説明した。このように構成される球送り装置６０の作用について、図１９を参照しながら説明する。なお、図１９には、球送り装置６０のうちで球送り回転体７０を抜き出して模式的に示している。
【００６４】
球送り回転体７０は、回転駆動機構８０により９０度ずつ回転駆動される毎に、基準回転位置において球供給通路６ｄに隣接する球受容部７１ａに遊技球が１球受容されるとともに、排出案内通路６５上に位置する球受容部７１ａに保持された遊技球が排出案内通路６５に落下して発射レール３９に送られる。すなわち、図１９（ａ）に示すように、４つの球受容部７１ａのうち３つの球受容部７１ａに遊技球を保持させながら、球供給通路６ｄ内の遊技球が１球ずつ発射レール３９に送られるようになっている。
【００６５】
この球送りについて、図１９（ｂ）を参照しながらもう少し詳しく説明すると、球供給通路６ｄから供給された遊技球は、球受容部７１ａに対して上方から受容されるとともに、球受容部７１ａの下方へ排出されて発射レール３９に送られる。本発明に係る球送り装置６０は、このようにして遊技球を送る構成となっているため、球供給通路６ｄ内に混在された糸付球ＢIは、糸状体Ｉが固着されていない遊技球と同様に球受容部７１ａに対して上方から受容されて球受容部７１ａの下方へ排出されるが、その後図１９（ｃ）に示すように、球受容部７１ａ内を上下に糸状体Ｉが貫通した状態のままで球送り回転体７０が回転駆動されることとなる。このために、糸付球ＢIの糸状体Ｉが軸部７５に巻き付くので、糸付球ＢIが遊技領域ＰＡに発射されることがなく不正入賞行為を効果的に防止可能である。
【００６６】
また、球送り装置６０は、糸付球ＢIの糸状体Ｉを軸部７５に巻き付けて不正入賞行為を防止するようになっているので、例えば不正入賞行為を行っている遊技者が証拠隠滅を図って糸状体Ｉの他端側を離して糸状体Ｉをパチンコ機ＰＭ内部に送り込んだとしても、不正入賞行為の証拠としての糸状体Ｉが軸部７５に巻き付いたまま残っているので、不正入賞行為を効果的に摘発できる。さらに、軸部７５に巻き付いた糸状体Ｉの他端側を無理やり引くことで、糸付球ＢIを引き出して証拠隠滅を図ることもあり得るが、球送り装置６０は逆転防止機構９０を備えることで球送り回転体７０が逆回転しないようになっているために、このような証拠隠滅を確実に防止できる。
【００６７】
以上、球送り装置６０の作用について説明した。ところで、糸付球ＢIを皿体６ｂ内に忍ばせて不正入賞行為を実行しようとしている遊技者が、証拠隠滅を図って球排出ボタンを操作することで、糸付球ＢIを含む上球皿６内の遊技球を球排出通路６ｅに排出させることがあり得る。このような場合であっても、糸付球ＢI（糸状体Ｉ）を球排出通路６ｅ内に証拠として残すことで不正入賞行為を効果的に摘発できるように、パチンコ機ＰＭの球排出通路６ｅは構成されている。それでは、以下において、パチンコ機ＰＭの球排出通路６ｅについて図２０を参照しながら説明する。
【００６８】
図２０（ａ）に示すように、球排出通路６ｅの途中には、球排出通路６ｅの上壁に対し、捩りバネ９５ａを介して揺動自在に揺動開閉扉９５が取り付けられている。また、球排出通路６ｅの下壁には、揺動開閉扉９５の取付位置に対応するとともに、遊技球の転動の障害とならない程度に突出する係止突起９６が形成されている。この揺動開閉扉９５は、捩りバネ９５ａによって係止突起９６に当接される方向に付勢されており、常には係止突起９６に当接して球排出通路６ｅを塞ぐ閉鎖位置に位置している（図２０（ａ）および（ｂ）参照）。この状態において、球排出ボタンが操作されて球排出通路６ｅ内を遊技球が転動すると、転動する遊技球の球圧によって揺動開閉扉９５が揺動されて開放位置に位置し（図２０（ｃ）参照）、球送り装置６０側から下球皿７側への遊技球の転動が許容される。
【００６９】
ここで、糸付球ＢIが球排出通路６ｅ内を転動する場合には、揺動開閉扉９５によって糸付球ＢIの転動は許容されるものの、糸付球ＢIが通過した直後に揺動開閉扉９５が閉鎖位置に揺動されることで、図２０（ｄ）に示すように、揺動開閉扉９５と係止突起９６とによって糸状体Ｉを挟んで引掛かけることができる。このようにして、不正入賞行為の証拠としての糸付球ＢIを球排出通路６ｅ内に留めておくことができるので、不正入賞行為を効果的に摘発可能である。また、図２０（ｄ）の閉鎖位置において、糸状体Ｉの他端側を引いたとしても、下球皿７側から球送り装置６０側への糸付球ＢIの移動が揺動開閉扉９５によって規制されるので、糸状体Ｉの他端側を引くことによる証拠隠滅を防止できる。
【００７０】
本発明に係るパチンコ機ＰＭの特徴構成およびその効果についてまとめると、以下のようになる。第１に、位置決め機構８５を備えて構成されるために、球送り回転体７０が基準回転位置からずれて位置することで、球受容部７１ａへの遊技球の受容および球受容部７１ａからの遊技球の排出タイミングがずれたりすることがなく、確実に基準回転位置に位置決めすることができるとともに、この基準回転位置から回転して位置がずれないように保持することができる。第２に、逆転防止機構９０を備えて構成されるため、軸部７５に巻き付いた糸状体Ｉを引っ張って糸付球ＢIをパチンコ機ＰＭから取り出すことが防止されるので、糸付球ＢIを使用した不正行為を見逃すことなく確実に摘発可能となる。第３に、揺動開閉扉９５を備えた構成となっているため、球排出通路６ｅに糸付球ＢIを排出させることによって糸付球ＢIを使用した不正行為の証拠隠滅を図ったとしても、揺動開閉扉９５によって糸状体を挟んで証拠として残すことができ、不正行為を確実に摘発可能となる。
【００７１】
上述の実施形態において、４つの球受容部７１ａを有する球送り回転体７０を例示して説明したが、本発明はこの構成に限定されるものではない。球送り回転体７０に代えて、例えば図２１（ａ）および（ｂ）に示すような０度および１８０度の位置に２つの球受容部１７１ａを有する球送り回転体１７０を用いて、本発明に係る球送り装置を構成することも可能である。この球送り回転体１７０を用いた構成の場合にも、糸付球ＢIに固着された糸状体Ｉを軸部１７５に巻き付けることで、不正入賞行為を効果的に防止できる。
【００７２】
本実施形態では、球送り回転体７０の回転方向を遊技球の流下方向に逆らわないように（球送り回転体７０を円滑に回転させるように）平面視左から右方向（反時計回り）に回転させる例を示したが、糸付球ＢIの案内をし難くするために、球送り回転体７０の回転方向を遊技球の流下方向に逆らうように平面視右方向から左方向（時計回り）に回転させても良い。また、上述の実施形態では、球送り回転体７０を水平に配置した構成を例示したが、この構成に限らず、例えば球送り回転体７０を垂直に配置して球送り回転体７０の球受け部を傾斜状に形成することにより、遊技球が球送り回転体７０を貫通通過するようにした構成でも良い。この構成においても、上述の実施形態と同様に、糸状体が回転軸に巻き付けられる効果を発揮できる。
【００７３】
また、上述の実施形態において、糸状体Ｉを軸部７５に巻き付けることが可能な球送り回転体７０について説明したが、本発明はこの構成に限定されない。例えば図２２（ａ）および（ｂ）に示す球送り回転体２７０ように、上面周縁部に上方に向けて突出する複数の引掛け爪部２７８が形成された構成でも良い。この構成の場合、球受容部２７１ａに糸付球ＢIが受容された状態で軸部２７５を中心に回転させると、糸付球ＢIに固着された糸状体Ｉが軸部２７５に引掛る前に引掛け爪部２７８に引掛ることができ、糸状体Ｉを球送り回転体２７０に確実に巻き付けることができる。
【００７４】
上述の実施形態においては、開閉部材６３とストッパー板６４とにより、４つの球受容部７１ａのうち、球供給通路６ｄの近傍に位置する球受容部７１ａに受容された遊技球Ｂ２を球排出通路６ｅへと落下させて排出させる構成を例示して説明したが、球抜きの構成はこれに限定されない。例えば、開閉部材６３の回転角度を大きく設定することにより、球供給通路６ｄの近傍に位置する球受容部７１ａに受容された遊技球、およびこの球受容部７１ａに対して反時計回りに９０度回転した位置の球受容部７１ａに受容された遊技球を排出させる構成でも良い。さらに、開閉部材を一端を中心として揺動可能に収容筐体６１に取り付けるとともに、捩りバネを用いて常時下方に付勢しておく。この開閉部材の下面側に、スライド移動可能にストッパー板を設けておき、球排出ボタンの操作に応じてストッパー板をスライド移動させて開閉部材の下面から抜くことで開閉部材を下方に揺動させて、１つまたは２つの球受容部７１ａに受容された遊技球を排出させる構成でも良い。
【００７５】
上述の実施形態においては、ソレノイド８１を電磁駆動させることで球送り回転体７０を回転駆動させる構成を例示して説明したが、本発明はこの構成に限定して解釈されるものではない。ソレノイド８１に代えて、例えば球送り回転体７０を回転駆動させるモータと、球送り回転体７０の回転位置を検出するフォトセンサとを用いた構成でも良い。
【００７６】
上述の実施形態では、軸部７５に糸状体Ｉを巻き付けることで不正入賞行為を防止する構成について説明したが、例えば軸部７５の表面に尖鋭な切り刃を設けた構成でも良い。この構成によれば、軸部７５に糸状体Ｉを巻き付けることで糸状体Ｉを切断することができるので、不正入賞行為を効果的に防止できる。また、図２２（ａ）に示す球送り回転体２７０の引掛け爪部２７８に切り刃を設けた構成でも、同様の効果が達成される。
【００７７】
なお、以上説明した実施形態では、本発明の適用対象となる弾球遊技機の一例としてパチンコ機を例示して説明したが、これに限定されるものではない。例えばアレンジボール、雀球遊技機等についても同様に適用可能であり、同様の効果を得ることができるものである。
【符号の説明】
【００７８】
ＰＭ  パチンコ機（弾球遊技機）
ＰＡ  遊技領域
Ｂ，Ｂ２  遊技球
ＢI  糸付球（遊技球）
１  外枠
２  前枠
３  ヒンジ機構
４  施錠装置
５  ガラス扉
６  上球皿（球皿）
６ａ  外装体
６ｂ  皿体
６ｃ  球貯留部
６ｄ  球供給通路
６ｅ  球排出通路
６ｕ  球抜き穴
７  下球皿（第２の球皿）
８  発射ハンドル
９  遊技補助盤
２０  遊技盤
２１  化粧板
２２ａ  外レール
２２ｂ  内レール
２３  一般入賞装置（入賞装置）
２３ａ  入賞口
２３ｓ  入賞検出器
２４  始動入賞装置（入賞装置）
２４ａ  入賞口
２４ｓ入賞検出器
２５  大入賞装置（入賞装置）
２５ａ  大入賞口
２５ｓ，２５ｔ  入賞検出器
２７  図柄表示装置
２８  アウト口
２９  球寄せカバー
３０    遊技球発射装置（発射装置）
３１  ハンマー
３２  基準クロック発生回路
３３ａ  基準クロック分周回路
３３ｂ  発射許可判定回路
３４ａ  球送ソレノイド駆動トリガ発生回路
３４ｂ  発射モータ駆動トリガ発生回路
３４ｃ  発射強度判定回路
３５  発射モータ電源供給回路
３６  球排出口
３８  レールベース
３９  発射レール
４０  裏セット盤
４１  基枠体
４１ａ  窓口
４２  球貯留タンク
４３  案内通路
４４  球払出装置
４５  球払出通路
５１  主制御装置
５２  球払出制御装置
５３  ランプ・音声制御装置
５４  電源ユニット
５５  ターミナル基板
５６  図柄表示制御装置
５７  発射装置制御基板
６０  球送り装置
６１  収容筐体
６１ａ  中空部
６２  案内壁
６３    揺動開閉部材（支持底部）
６３ａ  支点
６３ｂ  ピン部
６４  ストッパー板
６４ｂスライド長穴
６５  排出案内通路
７０  球送り回転体
７１  回転送り部
７１ａ  球受容部（受容部）
７５  軸部（回転軸部）
８０  回転駆動機構（回転駆動手段）
８１  ソレノイド
８１ａ  ガイドケース
８１ｂ  ソレノイド本体
８１ｃ  プランジャー
８１ｄ  連結駆動部
８１ｅ  枢結部
８１ｆ  リンク部材
８２  １ギヤ
８２ａ  枢結部
８３  第２ギヤ
８５  位置決め機構
８６  位置出し基部
８６ａ  位置決め凹部
８７  揺動片
８７ａ  当接部
８７ｂ  第１揺動部
８７ｃ  第２揺動部
８７ｄ  基端部
８８  揺動片保持部
９０  逆転防止機構
９１  係止部材
９１ａ  係止爪部
９２  ラッチ本体部
９２ａ  係止切り欠き
９５  揺動開閉扉
９５ａ  捩りバネ
９６  係止突起
１７０  球送り回転体
１７１ａ  球受容部
１７５  軸部
２７０  球送り回転体
２７１ａ  球受容部
２７５  軸部
２７８  引掛け爪部（爪部）
【図１】
0005725493.tif 000002
【図２】
0005725493.tif 000003
【図３】
0005725493.tif 000004
【図４】
0005725493.tif 000005
【図５】
0005725493.tif 000006
【図６】
0005725493.tif 000007
【図７】
0005725493.tif 000008
【図８】
0005725493.tif 000009
【図９】
0005725493.tif 000010
【図１０】
0005725493.tif 000011
【図１１】
0005725493.tif 000012
【図１２】
0005725493.tif 000013
【図１３】
0005725493.tif 000014
【図１４】
0005725493.tif 000015
【図１５】
0005725493.tif 000016
【図１６】
0005725493.tif 000017
【図１７】
0005725493.tif 000018
【図１８】
0005725493.tif 000019
【図１９】
0005725493.tif 000020
【図２０】
0005725493.tif 000021
【図２１】
0005725493.tif 000022
【図２２】
0005725493.tif 000023